(57)【要約】【課題】ビームを支柱に簡便かつ確実に支持することができると共にビームを所要の角度で簡易に連結することができ、構造が簡単で施工性、作業性がよく、しかも見栄えのよい柵や手摺等のビームの取付構造を提供する。【解決手段】ビーム３を連結する一対の保持ブラケット４を有し、この保持ブラケット４に保持片８と挿入孔１１を設ける。この保持片８を支柱２に形成した貫通孔７に挿入すると共に保持片８を挿入孔１１に係合させ、保持ブラケット４どうしを支柱２を挟み込んだ状態で固定する。この保持ブラケットの保持片８と貫通孔７の断面形態は、保持ブラケットの保持片の挿入角度を周方向に変更させて貫通孔７に挿入可能であり、この各挿入位置で周方向の回転が阻止されるようになっている。【選択図】図３
2011137331.tif 000002
【特許請求の範囲】
【請求項１】
ビームを連結する一対の保持ブラケットを有し、この保持ブラケットに保持片と挿入孔を設け、この保持片を支柱に形成した貫通孔に挿入すると共に保持片を挿入孔に係合させ、保持ブラケットどうしを支柱を挟み込んだ状態で固定し、この保持ブラケットと貫通孔の断面形態は、貫通孔に形成される規制面により、保持ブラケットの保持片の挿入角度を周方向に変更させて貫通孔に挿入可能であり、その各挿入位置で周方向の回転を阻止するよう規制されていることを特徴とする棚や手摺等のビームの取付構造。
【請求項２】
保持ブラケットとビームの連結部に連結ブラケットを設け、保持ブラケットと連結ブラケットの連結角度を変化させ得るよう両ブラケットを枢着した請求項１に記載の棚や手摺等のビームの取付構造。
【請求項３】
連結ブラケットの端部に軸部を設け、軸部をビームの端部に挿入し、軸部とビームの端部をビームに形成した長孔を介して固定具で固定した請求項２に記載の棚や手摺等のビームの取付構造。
【請求項４】
支柱の貫通孔の形状は、直線や円弧等を連続して形成される対称な形状の断面形態を有し、この貫通孔に挿入される保持ブラケットの保持片の形状は、上記貫通孔の断面形態を対称に二分する形状または貫通孔の断面形態の一部の形状を有する請求項１乃至３のいずれかに記載の棚や手摺等のビームの取付構造。
【請求項５】
ビームとブラケットの外表面がほぼ一致した請求項１乃至４のいずれかに記載の棚や手摺等のビームの取付構造。
【請求項６】
保持ブラケットは、一方の端部に支柱の貫通孔に挿入される保持片を、他方の端部に連結ブラケットに連結される保持片を有し、これらの保持片の傾斜角度が互いに相違している請求項１乃至５のいずれかに記載の棚や手摺等のビームの取付構造。
【発明の詳細な説明】
【技術分野】
【０００１】
本発明は、道路柵、防護柵などの柵や手摺等のビームの取付構造に関し、特に支柱に所要の角度で連結する柵や手摺等のビームの取付構造に関する。
【背景技術】
【０００２】
従来、道路柵、防護柵などの柵において、この柵に用いられるビームを支柱に支持する方法として種々の方法が考えられている。例えば、ビームを支柱に溶接する方法、あるいは実公昭５８−２４９７２公報に記載されているように、支柱に形成した貫通孔の両側からビームの端部を扁平状に形成した連結部を挿入し、その連結部どうしをボルト・ナットで連結して支柱に固定するという方法が提案されている。
しかし、上記のようにビームを支柱に溶接する方法は、現場にて溶接することが必要であるために溶接装置の搬送やセッティングなどが面倒であり、その操作に熟練を要すると共にコスト高ともなっていた。また、ビームの端部を扁平状に形成した連結部どうしを連結する方法は、その連結部が扁平状であるために強度上弱くなり、また扁平状の部分がパイプ状のビームと太さや外形が相違し、全体の見映えの点でも問題があった。
【０００３】
更に、実公平４−３９２８５公報に開示されているように、柵を水平面内、垂直面内及びこれらの両方の面内において自在に斜めに位置することができるようにビームを支柱に支持する方法も提案されている。この方法は、支柱の周囲に係合するリング状の支柱挟持部とビームに連結するビーム挟持部を有する一対のブラケットを設け、このブラケットをボルト・ナットで固定し、ボルト・ナットを調整することによってビームを自由な方向に向けるようにしたものである。
しかし、この方法も、リング状の支柱挟持部が強度上弱く、またブラケットとビームの太さや形状等が相違し、外観上においても問題があった。
【先行技術文献】
【特許文献】
【０００４】
【特許文献１】実公昭５８−２４９７２公報（１頁左欄第２４段目〜同第２７段目、図３）
【特許文献２】実公平４−３９２８５公報（１頁右欄第１６段目〜同第１８段目、２頁左欄第１７段目〜同頁右欄第１３段目、図１）
【発明の概要】
【発明が解決しようとする課題】
【０００５】
本発明は、上記の問題点を解消するものであって、ビームを支柱に簡便かつ確実に支持することができ、またビームを所要の角度で簡易に連結することができ、構造が簡単で施工性、作業性がよく、しかも見栄えのよい柵や手摺等のビームの取付構造を提供しようとするものである。
【課題を解決するための手段】
【０００６】
本発明は、ビームを連結する一対の保持ブラケットを有し、この保持ブラケットに保持片と挿入孔を設け、この保持片を支柱に形成した貫通孔に挿入すると共に保持片を挿入孔に係合させ、この一対の保持ブラケットどうしを支柱を挟み込んだ状態で固定し、この保持ブラケットの保持片と貫通孔の断面形態は、貫通孔に形成される規制面により、保持ブラケットの保持片の挿入角度を周方向に変更させて貫通孔に挿入可能であり、この各挿入位置で周方向の回転を阻止するよう規制されたものである。
【０００７】
また、本発明は、保持ブラケットとビームの連結部に連結ブラケットを設け、この連結ブラケットと保持ブラケットの連結角度を変化させることができるよう両ブラケットを枢着したものである。
【０００８】
更に、本発明は、連結ブラケットの端部に軸部を設け、この軸部をビームの端部に挿入し、軸部とビームの端部をビームに形成した長孔を介して固定具で固定するようにしたものである。
【０００９】
また、本発明は、直線や円弧等を連続して形成される対称な形状を支柱の貫通孔の断面形態とし、この貫通孔の断面形態を対称に二等分する形状または貫通孔の断面形態の一部の形状を保持ブラケットの保持片の形状としたものである。
【００１０】
更に、本発明は、ビームとブラケットの外表面がほぼ一致するようにしたものである。
【００１１】
また、本発明は、保持ブラケットの一方の端部に支柱の貫通孔に挿入される保持片を設けると共に他方の端部に連結ブラケットに連結される保持片を設け、これらの保持片の傾斜角度を互いに相違させて両ブラケット間の連結角度を調整するようにしたものである。
【発明の効果】
【００１２】
本発明は、上記のように構成されているので、支柱へのビームの取付、ビームの連結を確実に、かつ簡便に効率よく行うことができる。また、ビームの取付角度を所要の角度に調整して取り付けることができ、起伏や屈曲している道路等の場所において、これに対応させ簡単に施工することができる。更に、保持ブラケット及び連結ブラケットの外表面とビームの外表面がほぼ一致しているので、見栄えがよく、しかも表面の凹凸が殆どないので手摺として利便に使用することができる。
【図面の簡単な説明】
【００１３】
【図１】本発明の実施例であって、ビームを支柱に取り付けた状態を示す概略正面図である。
【図２】ビームと支柱の取付部分及びビームの取付部分を拡大し一部を断面にして示す正面図である。
【図３】図２における断面図である。
【図４】保持ブラケットを支柱に取り付ける状態を示す斜面図である。
【図５】支柱を一部省略して示す拡大平面図である。
【図６】保持ブラケットを示し、（Ａ）は正面図、（Ｂ）は平面図、（Ｃ）は側面図である。
【図７】連結ブラケットを示し、（Ａ）は正面図、（Ｂ）は側面図である。
【図８】ビームを一部省略して示す拡大正面図である。
【図９】支柱の貫通孔及び保持ブラケットの断面形態を示し、（Ａ）〜（Ｅ）は貫通孔の断面形態図、（Ｆ）は上記貫通孔（Ｂ）に対応する保持ブラケットの断面形態図、（Ｇ）は上記貫通孔（Ｅ）に対応する保持ブラケットの断面形態図である。
【図１０】平面で屈曲している道路等において使用される柵であって、ビーム間を水平方向に折り曲げた状態で取り付ける場合を示す斜面図である。
【図１１】図１０におけるビーム間の曲がり部を拡大して示す斜面図である。
【図１２】階段等において使用される柵であって、ビーム間を垂直方向に折り曲げた状態で取り付ける場合を示す斜面図である。
【図１３】斜め上下方向に起伏のある道路等において使用される柵であって、（Ａ）は概略側面図、（Ｂ）は（Ａ）における概略平面図である。
【発明を実施するための形態】
【００１４】
実施例は、道路柵におけるビームの取付構造を示している。
道路柵１のビームの取付構造は、図１に示すように、支柱２と、ビーム３と、支柱に取り付ける一対の保持ブラケット４と、この保持ブラケット４とビーム３を連結する連結ブラケット５によって構成されている。
【００１５】
支柱２は、所定の間隔で形成された基礎コンクリート６に支持されている。この支柱２は、金属や硬質プラスチックその他の丈夫な材料で図５に示すような板状やパイプ状、棒状その他の形状に形成され、その支柱２には、貫通孔７が２個形成されている。なお、この貫通孔７は、その他１個あるいは３個、４個等と複数のものとすることができる。
【００１６】
貫通孔７に挿入して支持される保持ブラケット４は、図６に示すように、一端に保持片８が、他端に連結片９が設けられており、この保持ブラケット本体１０には保持片８を挿入するための挿入孔１１が形成されている。この保持ブラケット４を一対用い、図２及び図３に示すように、各保持ブラケットの保持片８をそれぞれ支柱２の両側より貫通孔７に保持片８どうしが接合するように差し込み（図４）、この各保持ブラケットの支持面１２で支柱２を挟み込む。その後に、保持ブラケット本体１０に形成されたボルト通し孔１３及び保持片８に形成されたネジ孔１４にボルト１５を挿入し、一対の保持ブラケットどうしを固定して支柱２に支持させる。
この場合、ボルト１５として六角穴付きボルトを用いており、その頭部１６を保持ブラケット本体１０に形成した凹部１７に挿入し、保持ブラケット本体１０の外表面をほぼ一致させている。なお、保持ブラケットを固定する方法は、上記のようなボルトの他にビスやネジ、ボルト・ナットその他の適宜の固定具を用いることができる。
【００１７】
図１〜図３は、道路柵の端部を示し、この例では、上記保持ブラケット４において、他端側に形成される連結片９が省略されており、このようにして形成される保持ブラケットを端部用の保持ブラケット１８として用いている。
【００１８】
上記貫通孔７は、その断面形態を種々の対称（線対称、点対称）な形状のものとすることができ、例えば図９に示すように、四角形・六角形・八角形等の多角形（Ａ〜Ｃ）、直線あるいは円弧を連続して形成される複合形状（Ｄ、Ｅ）その他の形状とすることができる。また、保持ブラケットの保持片８の断面形態は、この貫通孔７に挿入できるように貫通孔の断面形態Ａ〜Ｃを二分する形状のものや、貫通孔Ｂに対して保持片をＦとしこれを二分する形状のもの、貫通孔Ｄに対して保持片をＡとしこれを二分する形状のもの、貫通孔Ｅに対して保持片をＧとしこれを二分する形状のもの、その他の種々の形状のものとすることができる。なお、上記保持ブラケットの保持片８は、２分せずに１個として用いるようにしてもよい。いずれにしても、貫通孔７の断面形態と、保持ブラケットの保持片８の断面形態の関係は、保持ブラケットの保持片８を貫通孔７に挿入角度を変えて挿入できるように形成されており、これによって、保持ブラケット４を貫通孔７に所要の角度で挿入することができ、保持ブラケット４の取付角度を調整することができるようになっている。なお、保持ブラケットの保持片８は、貫通孔７の断面形態によって形成される規制面１９によってその回転が阻止されている。
【００１９】
上記ビーム３は、図７に示すような連結ブラケット５を用い、保持ブラケット４に連結される。この連結ブラケット５は、本体２０と軸部２１を有し、その一方の本体２０に形成した溝部２２に保持ブラケットの連結片９を挿入し、この保持ブラケットの連結片９と連結ブラケット本体２０を六角穴付きボルト２３で枢着している。この場合、上記本体２０に形成した溝部２２は、保持ブラケット４と連結ブラケット５の連結角度（屈曲角度）が一方側に約１５度、他方側に約９０度回転可能に形成されている。なお、この角度はその他の適宜の角度とすることができる。
一方、上記連結ブラケットの軸部２１は、パイプ状のビーム３の端部に挿入され、これらが皿ネジ２４で固定されている。この実施例では、図８に示すように、ビーム３の端部に長孔２５が形成されており、この長孔によってビームの軸方向の位置を調整するようにしている。
なお、上記六角穴付きボルト２３及び皿ネジ２４は、上記保持ブラケットを固定する際に用いた固定具と同様の固定具を用いることができ、また、その際に、六角穴付きボルト２３の頭部２６を連結ブラケット本体２０に形成した凹部２７に挿入したり、皿ネジ２４の頭部２６をビームの長孔２５に形成した皿穴部２８に当接させたりして連結ブラケット本体２０及びビーム３の外表面をほぼ一致させている。
【００２０】
図１０〜図１２に示す１柵は、連結するビーム間を屈曲させた状態で設置する場合を示し、図１０及び図１１に示す柵は、水平方向にビーム３間を約90度に屈曲させた場合であって水平面で屈曲している道路等において用いることができ、また、図１２に示す柵１は、垂直方向に約４５度屈強させた場合であって階段等において用いることができる。
【００２１】
図１３に示す柵１は、例えば、平坦な道路から一方側が右上がり（または左上がり）の道路２９に連続し、他方側が左下がり（または右下がり）の道路３０に連続している場合等に用いることができる。
【００２２】
保持ブラケット４は、その一方の端部に支柱２の貫通孔７に挿入される保持片８を設けると共に他方の端部に連結ブラケット５に連結される保持片８を設け、これらの保持片の傾斜角度が互いに相違するように適宜の傾斜角度で形成することができる。これによって両ブラケット間の連結角度を調整することができ、また、支柱２への保持ブラケット４の挿入角度を調整させることと相俟って更なる微調整を行うことができる。
【符号の説明】
【００２３】
２  支柱    ３  ビーム    ４  保持ブラケット    ５  連結ブラケット    ７  貫通孔    ８  保持片    ９  連結片    １１  挿入孔    ２５  長孔
【図１】
2011137331.tif 000003
【図２】
2011137331.tif 000004
【図３】
2011137331.tif 000005
【図４】
2011137331.tif 000006
【図５】
2011137331.tif 000007
【図６】
2011137331.tif 000008
【図７】
2011137331.tif 000009
【図８】
2011137331.tif 000010
【図９】
2011137331.tif 000011
【図１０】
2011137331.tif 000012
【図１１】
2011137331.tif 000013
【図１２】
2011137331.tif 000014
【図１３】
2011137331.tif 000015